(57)【特許請求の範囲】
【請求項１】
表面デッキボードと、裏面デッキボードと、表面デッキボードと裏面デッキボードとを連結する隅桁、中間桁及び中央桁とを有し、隅桁と中間桁の天部が、所定の間隔で配置されたＴ状桟により形成されているとともに、隅桁と中間桁の底部が、前記天部を形成するＴ状桟に対して互い違いに配置された逆Ｔ状桟により形成されている一体成形された四方差しの合成樹脂製パレットにおいて、スライドコアの隅桁側と中間桁側の上方に位置するアールにより形成される角部に配置される固定型の角部及びスライドコアの隅桁側と中間桁側の下方に位置するアールにより形成される角部に配置される可動型の角部に、それぞれ、前記角部を取るような傾斜面を形成することにより、フォーク差し込み口側で、且つ、隅桁と中間桁との間に位置する表面デッキボードを形成する格子桟の下端部付近に位置する隅桁と中間桁の垂直壁に、上面が下方に傾斜し、且つ、下面が上方に傾斜した、垂直断面形状が略三角形状の補強縁が形成されているとともに、フォーク差し込み口側で、且つ、隅桁と中間桁との間に位置する裏面デッキボードを形成する格子桟の上端部付近に位置する隅桁と中間桁の垂直壁に、上面が下方に傾斜し、且つ、下面が上方に傾斜した、垂直断面形状が略三角形状の補強縁が形成されていることを特徴とする合成樹脂製パレット。
【発明の詳細な説明】
【０００１】
【発明の属する技術分野】
本発明は、種々の物品を運搬する際に使用されるフォーク差し込み口を有する合成樹脂製パレットに関するものである。
【０００２】
【従来の技術】
従来、フォーク差し込み口を構成する隅部の桁（以下、単に、「隅桁」という。）或いは隅桁の中間に配置された桁（以下、単に、「中間桁」という。）の垂直壁と、表面デッキボードの一部を構成する隅桁と中間桁間に配設された格子桟の下面とにより形成される角部を、直角とせずに、アールを形成することにより、フォーク差し込み口の強度を増加するとともに、金型の製作を容易としたフォーク差し込み口を有する合成樹脂製パレットが知られている。
【０００３】
【発明が解決しようとする課題】
以下に、隅桁の垂直壁と、表面デッキボードの一部を構成する隅桁と中間桁間に配設された格子桟の下面とにより形成される角部を形成するための金型を含む垂直断面図である図４及び図５を用いて、上述した従来の合成樹脂製パレットが有する課題、換言すれば、本発明が解決しようとする課題について説明する。
【０００４】
１、２及び３は、金型を構成する公知の可動型、固定型及びフォーク差し込み口を形成するための紙面において手前に抜かれるスライドコアである。可動型１、固定型２及びスライドコア３により形成される空間に樹脂を流し込むことにより、隅桁のフォーク差し込み口側の垂直壁ｐ１が成形され、また、固定型２の下面に形成された縦長溝２ａに樹脂を流し込むことにより、表面デッキボードの一部を構成する隅桁と中間桁間に配設された格子桟の垂直リブｐ２が成形されることになる。
【０００５】
図４に示されているように、隅桁のフォーク差し込み口側の垂直壁ｐ１と、表面デッキボードの一部を構成する隅桁と中間桁間に配設された格子桟の垂直リブｐ２の下面とにより形成される角部にアールを形成するためには、スライドコア３の角部３ａにアールを形成するとともに、スライドコア３のアールが形成された角部３ａに接触する固定型２の角部２ｂを、先端が鋭角に尖った楔状に形成する必要がある。このように、固定型２の角部２ｂを、先端が鋭角に尖った楔状に形成すると、この部分の強度が低下し、この部分が、可動型１やスライドコア３や他の物に衝突したりすると、簡単に変形したり、損傷することになる。
【０００６】
このような問題を解決するために、図５に示されているように、固定型２の角部２ｂに、水平に切り込んだ凹部２ｃを形成すると、図４に示されているような固定型２の角部２ｂが、先端が鋭角に尖った楔状に形成されることはないが、成形された隅桁のフォーク差し込み口側の垂直壁ｐ１に、上面が水平な補強縁ｐ３が形成されることになる。このような上面が水平な補強縁ｐ３には、塵や埃や雨水等が溜まりやすく、また、上面が水平な補強縁ｐ３に溜まった塵や埃等の洗浄性が悪くなるとともに、雨水の排水性が悪いという問題がある。
【０００７】
本発明の目的は、上述した従来の合成樹脂製パレットが有する課題を解決するとともに、成形性の良好な合成樹脂製パレットを提供することにある。
【０００８】
【課題を解決するための手段】
本発明は、上述した目的を達成するために、表面デッキボードと、裏面デッキボードと、表面デッキボードと裏面デッキボードとを連結する隅桁、中間桁及び中央桁とを有し、隅桁と中間桁の天部が、所定の間隔で配置されたＴ状桟により形成されているとともに、隅桁と中間桁の底部が、前記天部を形成するＴ状桟に対して互い違いに配置された逆Ｔ状桟により形成されている一体成形された四方差しの合成樹脂製パレットにおいて、スライドコアの隅桁側と中間桁側の上方に位置するアールにより形成される角部に配置される固定型の角部及びスライドコアの隅桁側と中間桁側の下方に位置するアールにより形成される角部に配置される可動型の角部に、それぞれ、前記角部を取るような傾斜面を形成することにより、フォーク差し込み口側で、且つ、隅桁と中間桁との間に位置する表面デッキボードを形成する格子桟の下端部付近に位置する隅桁と中間桁の垂直壁に、上面が下方に傾斜し、且つ、下面が上方に傾斜した、垂直断面形状が略三角形状の補強縁を形成するとともに、フォーク差し込み口側で、且つ、隅桁と中間桁との間に位置する裏面デッキボードを形成する格子桟の上端部付近に位置する隅桁と中間桁の垂直壁に、上面が下方に傾斜し、且つ、下面が上方に傾斜した、垂直断面形状が略三角形状の補強縁を形成したものである。
【０００９】
【実施例】
以下に、本発明の合成樹脂製パレットの一部切欠部を含む斜視図である図１、図１のＩ−Ｉ線に沿った部分を成形する金型等の垂直断面図である図２及び図２の隅桁付近の垂直断面図である図３を用いて、本発明の実施例について説明するが、本発明の趣旨を越えない限り何ら、本実施例に限定されるものではない。
【００１０】
Ｐは、各側面に、それぞれ、２個のフォーク差し込み口ｐ１０を有する、所謂、４方差しの合成樹脂製パレットであり、合成樹脂製パレットＰは、表面デッキボードｐ１１と裏面デッキボードｐ１２を有している。そして、表面デッキボードｐ１１と裏面デッキボードｐ１２とは、それぞれ、隅部に位置する４つの隅桁ｐ１３、隅部ｐ１３の中間に位置する４つの中間桁ｐ１４及び中央に位置する１つの中央桁ｐ１５により連結されている。また、隅桁ｐ１３と中間桁ｐ１４との間に位置する表面デッキボードｐ１１は、縦長の垂直リブｐ１６’が格子状に配置された格子桟ｐ１６に形成されている。
【００１１】
図２及び図３を用いて、上述した構造を有する合成樹脂製パレットＰを射出成形するための金型及び成形された本発明の合成樹脂製パレットＰの特徴的な構造について説明する。
【００１２】
Ｍは、上述した構造を有する合成樹脂製パレットＰを射出成形するための一例としての金型であり、金型Ｍは、公知の可動型１０、固定型１１及びフォーク差し込み口ｐ１０を形成するための紙面において手前に抜かれるスライドコア１２から構成されている。
【００１３】
上述した金型Ｍにより成形される隅桁ｐ１３は、図１の切欠部に示されているように、周囲が垂直壁ｐ１３ａで囲まれた筒状に形成されており、隅桁ｐ１３の天部ｐ１３ｂは、所定の間隔で配置されたＴ状桟ｐ１３ｂ’により形成されており、また、底部ｐ１３ｃは、天部ｐ１３ｂを形成するＴ状桟ｐ１３ｂ’に対して互い違いに配置された逆Ｔ状桟ｐ１３ｃ’により形成されている。周囲が垂直壁ｐ１４ａで囲まれた筒状の中間桁ｐ１４も、上記の隅桁ｐ１３と同様に、所定の間隔で配置されたＴ状桟ｐ１４ｂ’からなる天部ｐ１４ｂと、天部ｐ１４ｂを形成するＴ状桟ｐ１４ｂ’に対して互い違いに配置された逆Ｔ状桟ｐ１４ｃ’からなる底部ｐ１４ｃとから構成されている。また、隅桁ｐ１３と中間桁ｐ１４との間に位置する表面デッキボードｐ１１は、縦長の垂直リブｐ１６’が格子状に配置された格子桟ｐ１６として構成されている。本実施例においては、隅桁ｐ１３と中間桁ｐ１４との間に位置する裏面デッキボードｐ１２も、同様に、縦長の垂直リブｐ１７’が格子状に配置された格子桟ｐ１７に形成されている。
【００１４】
上述した構造の隅桁ｐ１３を成形するために、この部分の可動型１０は、上面に縦長溝１０ａ’が形成された２つの柱状部１０ａ及びフォーク差し込み口ｐ１０側に配置された上面が平坦な１つの柱状部１０ｂを有しており、そして、上述した構造の隅桁ｐ１３を成形するために、この部分の固定型１１は、下面に縦長溝１１ａ’が形成された２つの柱状部１１ａを有しており、該２つの柱状部１１ａは、上記の可動型１０の縦長溝１０ａ’が形成された２つの柱状部１０ａ間及び該柱状部１０ａとフォーク差し込み口ｐ１０側に配置された上面が平坦な柱状部１０ｂ間に嵌合するように構成されている。
【００１５】
上述した構造の中間桁ｐ１４を成形するために、この部分の可動型１０は、フォーク差し込み口ｐ１０側に配置された上面が平坦な１つの柱状部１０ｃ及び上面に縦長溝１０ｄ’が形成された２つの柱状部１０ｄを有しており、そして、上述した構造の中間桁ｐ１４を成形するために、この部分の固定型１１は、下面に縦長溝１１ｂ’が形成された２つの柱状部１１ｂを有しており、該２つの柱状部１１ｂは、上記の可動型１０の縦長溝１０ｄ’が形成された２つの柱状部１０ｄ間及び該柱状部１０ｄとフォーク差し込み口ｐ１０側に配置された上面が平坦な柱状部１０ｃ間に嵌合するように構成されている。
【００１６】
フォーク差し込み口ｐ１０を形成するための紙面において手前に抜かれるスライドコア１２は、垂直断面形状が横長の矩形状に形成されており、その４つの角部には、適当な曲率半径を有するアール１２ａが形成されている。また、隅桁ｐ１３と中間桁ｐ１４との間に位置する表面デッキボードｐ１１の縦長の垂直リブｐ１６’が格子状に配置された格子桟ｐ１６を形成するために、この部分の固定型１１の下面には、縦長の溝１１ｃが格子状に形成されている。本実施例においては、隅桁ｐ１３と中間桁ｐ１４との間に位置する裏面デッキボードｐ１２も、同様に、縦長の垂直リブｐ１７’が格子状に配置された格子桟ｐ１７が形成されているので、この部分の可動型１０の上面には、縦長の溝１０ｅが格子状に形成されている。
【００１７】
隅桁ｐ１３のフォーク差し込み口ｐ１０側に位置する垂直壁ｐ１３ａと、スライドコア１２の隅桁ｐ１３側の上方に位置するアール１２ａにより形成される角部に配置される固定型１１の角部には、該角部を取るような傾斜面１１ｄが形成されている。そして、上記スライドコア１２の角部のアール１２ａと、固定型１１の角部の傾斜面１１ｄにより、合成樹脂製パレットＰの射出成形の際には、隅桁ｐ１３のフォーク差し込み口ｐ１０側に位置し、且つ、隅桁ｐ１３と中間桁ｐ１４間に位置する表面デッキボードｐ１１の格子桟ｐ１６の下端部付近に位置する垂直壁ｐ１３ａには、上面ｅ１’が下方に傾斜し、且つ、下面ｅ１”が上方に傾斜した、垂直断面形状が略三角形状の補強縁ｅ１が形成されることになる。
【００１８】
また、隅桁ｐ１３のフォーク差し込み口ｐ１０側に位置する垂直壁ｐ１３ａと、スライドコア１２の隅桁ｐ１３側の下方に位置するアール１２ａにより形成される角部に配置される可動型１０の角部には、傾斜面１０ｆが形成されており、上記スライドコア１２の角部のアール１２ａと、可動型１０の角部の傾斜面１０ｆにより、合成樹脂製パレットＰの射出成形の際には、隅桁ｐ１３のフォーク差し込み口ｐ１０側に位置し、且つ、隅桁ｐ１３と中間桁ｐ１４間に位置する裏面デッキボードｐ１２の格子桟ｐ１７の上端部付近に位置する垂直壁ｐ１３ａには、上面ｅ２’が下方に傾斜し、且つ、下面ｅ２”が上方に傾斜した、垂直断面形状が略三角形状の補強縁ｅ２が形成されることになる。隅桁ｐ１３と中間桁ｐ１４間に位置する裏面デッキボードｐ１２に格子桟ｐ１７が形成されていない場合には、当然のことながら、このような補強縁ｅ２は形成されない。
【００１９】
同様に、中間桁ｐ１４のフォーク差し込み口ｐ１０側に位置する垂直壁ｐ１４ａと、スライドコア１２の中間桁ｐ１４側の上方に位置するアール１２ａにより形成される角部に配置される固定型１１の角部にも、上述した傾斜面１１ｄと同様の傾斜面が形成されており、合成樹脂製パレットＰの射出成形の際には、中間桁ｐ１４のフォーク差し込み口ｐ１０側に位置し、且つ、隅桁ｐ１３と中間桁ｐ１４間に位置する表面デッキボードｐ１１の格子桟ｐ１６の下端部付近に位置する垂直壁ｐ１４ａには、上述した補強縁ｅ１と同様の垂直断面形状が略三角形状の補強縁が形成されることになる。また、隅桁ｐ１３と中間桁ｐ１４間に位置する裏面デッキボードｐ１２に格子桟ｐ１７が形成されている場合には、中間桁ｐ１４のフォーク差し込み口ｐ１０側に位置し、且つ、隅桁ｐ１３と中間桁ｐ１４間に位置する裏面デッキボードｐ１２の格子桟ｐ１７の上端部付近に位置する垂直壁ｐ１４ａにも、上述した補強縁ｅ１と同様の垂直断面形状が略三角形状の補強縁が形成されることが好ましい。
【００２０】
上述したように、スライドコア１２の隅桁ｐ１３側の上方に位置するアール１２ａにより形成される角部に配置される固定型１１の角部及びスライドコア１２の隅桁ｐ１３側の下方に位置するアール１２ａにより形成される角部に配置される可動型１０の角部には、角部を取るような傾斜面１１ｄ、１０ｆが、それぞれ、形成されているので、固定型１１や可動型１０には、先端が鋭角状に尖った突出部が形成されることがないので、金型の強度及び耐久性が向上することになる。
【００２１】
また、上述した金型Ｍにより射出成形された合成樹脂製パレットＰのフォーク差し込み口ｐ１０の角部に形成される補強縁ｅ１、ｅ２は、上面ｅ１’、ｅ２’が下方に傾斜し、且つ、下面ｅ１”、ｅ２”が上方に傾斜した、垂直断面形状が略三角形状に形成されるので、上面ｅ１’、ｅ２’に、塵や埃や雨水等が溜まり難く、また、上面ｅ１’、ｅ２’に溜まった塵や埃等の洗浄性が良好であるとともに、雨水の排水性が向上することになる。
【００２２】
上述した補強縁ｅ１、ｅ２は、水平方向の突出長さは、５〜６ｍｍ以下であることが好ましく、３ｍｍ以下であることが、なお好ましい。また、上面ｅ１’、ｅ２’と下面ｅ１”、ｅ２”とがなす角度は、３０〜１２０度の範囲が好ましく、４５〜９０度の範囲が、なお好ましい。
【００２３】
なお、上述した実施例においては、各側面に、それぞれ、２個のフォーク差し込み口ｐ１０を有する、所謂、４方差しの合成樹脂製パレットＰを、一体成形する例を説明したが、２組の相対する側面のうち、一方の相対する側面のみに、フォーク差し込み口ｐ１０を形成した、所謂、２方差しの合成樹脂製パレットＰに適用することもできる。また、上述した合成樹脂製パレットＰを上下方向に半分ずつ、それぞれ、別体に成形し、成形された半体のパレットを、桁部分で溶着して形成された合成樹脂製パレットＰに適用することもできる。
【００２４】
【発明の効果】
本発明は、以上説明したように構成されているので、以下に記載する効果を奏することができる。
【００２５】
補強縁を、上面が下方に傾斜し、且つ、下面が上方に傾斜した、垂直断面形状が略三角形状に形成したので、上面に、塵や埃や雨水等が溜まり難く、また、上面に溜まった塵や埃等の洗浄性が良好であるとともに、雨水の排水性が向上することになる。
【００２６】
補強縁を、上面が下方に傾斜し、且つ、下面が上方に傾斜した、垂直断面形状が略三角形状に形成したので、金型には、先端が鋭角状に尖った突出部が形成されることがないので、金型の強度及び耐久性が向上することになる。
【図面の簡単な説明】
【図１】図１は本発明の合成樹脂製パレットの一部切欠部を含む斜視図である。
【図２】図２は図１のＩ−Ｉ線に沿った部分を成形する金型等の垂直断面図である。
【図３】図３は図２の隅桁付近の垂直断面図である。
【図４】図４は隅桁の垂直壁と、表面デッキボードの一部を構成する隅桁と中間桁間に配設された格子桟の下面とにより形成される角部を形成するための従来の金型を含む垂直断面図である。
【図５】図５は図４と同様の従来の金型を含む垂直断面図である。
【符号の説明】
Ｍ・・・・・・・・金型
Ｐ・・・・・・・・合成樹脂製パレット
ｅ１、ｅ２・・・・補強縁
ｐ１１・・・・・・表面デッキボード
ｐ１２・・・・・・裏面デッキボード
ｐ１３・・・・・・隅桁
ｐ１４・・・・・・中間桁
１０・・・・・・・可動型
１１・・・・・・・固定型
１２・・・・・・・スライドコア
【図１】
0004130239.tif 000002
【図２】
0004130239.tif 000003
【図３】
0004130239.tif 000004
【図４】
0004130239.tif 000005
【図５】
0004130239.tif 000006